(57)【要約】【課題】操作性を向上させたプロジェクタ。【解決手段】外装筐体２は、操作パネルを外部に露出させる操作用開口部２１１と、投射光学装置３から拡大投射する光束を通過させる投射用開口部２１２とを備える。スライド移動して操作用開口部２１１の開口状態を閉塞状態とする操作パネルカバー部９２と、スライド移動して投射用開口部２１２の開口状態を閉塞状態とするレンズシャッター部９３とを一体化して構成し、操作パネルカバー部９２のスライド移動に連動してレンズシャッター部もスライド移動し、操作パネルカバー部９２にて操作用開口部２１１を閉塞させると、レンズシャッター部９３も投射用開口部２１２を閉塞し、操作パネルカバー部９２にて操作用開口部２１１を全開状態にさせると、レンズシャッター部９３も投射用開口部２１２も全開状態となる。【選択図】図３
2008292656.tif 000002
【特許請求の範囲】
【請求項１】
光源装置と、前記光源装置から射出された光束を画像情報に応じて変調する光変調装置と、前記光変調装置にて変調された光束をスクリーンに拡大投射する投射光学装置と、前記光源装置、前記光変調装置、および前記投射光学装置を内部に収納する外装筐体とを備えたプロジェクタであって、
前記外装筐体は、使用者が入力操作する操作入力部を外部に露出させる操作用開口部と、前記投射光学装置から拡大投射する光束を通過させる光束通過用開口部とを備え、
スライド移動して前記操作用開口部の開口状態を閉塞状態とする操作パネルカバー部と、スライド移動して前記光束通過用開口部の開口状態を閉塞状態とするレンズシャッター部とを備え、
前記操作パネルカバー部もしくは前記レンズシャッター部の何れか一方が、スライド移動することにより対応する前記操作用開口部もしくは前記光束通過用開口部の何れかを閉塞状態から開口状態とした場合には、その動作に連動して、前記操作パネルカバー部もしくは前記レンズシャッター部の何れか他方も、スライド移動することにより対応する前記操作用開口部もしくは前記光束通過用開口部の何れかを閉塞状態から開口状態とするように、前記操作パネルカバー部と前記レンズシャッター部とが一体化されて構成されていることを特徴とするプロジェクタ。
【請求項２】
光源装置と、前記光源装置から射出された光束を画像情報に応じて変調する光変調装置と、前記光変調装置にて変調された光束をスクリーンに拡大投射する投射光学装置と、前記光源装置、前記光変調装置、および前記投射光学装置を内部に収納する外装筐体とを備えたプロジェクタであって、
前記外装筐体は、使用者が入力操作する操作入力部を外部に露出させる操作用開口部と、前記投射光学装置から拡大投射する光束を通過させる光束通過用開口部とを備え、
スライド移動して前記操作用開口部の開口状態を閉塞状態とする操作パネルカバー部と、スライド移動して前記光束通過用開口部の開口状態を閉塞状態とするレンズシャッター部とを備え、
前記操作パネルカバー部もしくは前記レンズシャッター部の何れか一方が、スライド移動することにより対応する前記操作用開口部もしくは前記光束通過用開口部の何れかを閉塞状態から開口状態とした場合には、その動作に連動して、前記操作パネルカバー部もしくは前記レンズシャッター部の何れか他方も、スライド移動することにより対応する前記操作用開口部もしくは前記光束通過用開口部の何れかを閉塞状態から開口状態とする連動手段が、設けられていることを特徴とするプロジェクタ。
【請求項３】
請求項１または請求項２に記載のプロジェクタにおいて、
前記操作用開口部と、前記光束通過用開口部とは、互いに交差する面に設けられ、
前記操作パネルカバー部および前記レンズシャッター部の少なくとも何れか一方が、可撓性を有していることを特徴とするプロジェクタ。
【請求項４】
請求項１から請求項３のうち何れかに記載のプロジェクタにおいて、
前記操作用開口部に対する前記操作パネルカバー部の位置、もしくは前記光束通過用開口部に対する前記レンズシャッター部の位置の、少なくとも何れか一方を検出する位置検出手段を備えていることを特徴とするプロジェクタ。
【請求項５】
請求項４に記載のプロジェクタにおいて、
前記位置検出手段は、前記操作用開口部もしくは前記光束通過用開口部の少なくとも何れか一方が全開状態となった場合に、前記操作パネルカバー部および前記レンズシャッター部の少なくとも何れか一方からの押下が解除されるか、若しくは前記操作パネルカバー部および前記レンズシャッター部の少なくとも何れか一方から押下されるかによって、全開状態となったと検出するメカニカルスイッチで構成されていることを特徴とするプロジェクタ。
【請求項６】
請求項４または請求項５に記載のプロジェクタにおいて、
前記位置検出手段は、前記操作用開口部に対する前記操作パネルカバー部の位置、もしくは前記光束通過用開口部に対する前記レンズシャッター部の位置を、段階的に検出するように構成されていることを特徴とするプロジェクタ。
【発明の詳細な説明】
【技術分野】
【０００１】
本発明は、プロジェクタに関する。
【背景技術】
【０００２】
従来、光源装置から射出された光束を、光変調装置にて画像情報に応じて変調し、その変調した光束を投射レンズ（投射光学装置）にて拡大投射するプロジェクタが知られている。
この種のプロジェクタは、投射レンズから画像光を投射させるための投射用（光束通過用）開口部を有し、上述の各種装置を内部に収納する外装筐体を備える。この投射用開口部には、画像光を投射可能に開口させる開位置と、投射レンズを保護するように閉塞させる閉位置とを有して、その間をスライド移動するレンズシャッターが配されている。
【０００３】
加えて、上述のプロジェクタは、使用者が入力操作するための操作パネルを備える。また、外装筐体には、この操作パネルを操作可能に外部に露出させる操作用開口部が設けられている。この操作用開口部にあっても、操作可能に開口させる開位置と、防塵を目的として操作用開口部を閉塞させる閉位置とを有して、その間をスライド移動する操作パネルカバーが配されている。
【０００４】
一方、この種のプロジェクタにおいては、光源として放電ランプを採用するものがある。このような放電ランプを光源として採用したプロジェクタでは、レンズシャッターにて投射用開口部が閉塞させた状態（閉塞状態）で、投射レンズから画像光が投射されていると、投射される画像光によって、レンズシャッター自体が熱を帯びてしまって具合の悪いものとなっていた。
そこで、このような放電ランプを光源として採用したプロジェクタでは、投射用開口部が開口させた状態（開口状態）に限って、放電ランプに電力を供給するように電源をオンとするプロジェクタが提供されている（例えば、特許文献１参照）。
【０００５】
【特許文献１】特開２０００−１９４７９号公報
【発明の開示】
【発明が解決しようとする課題】
【０００６】
ところで、上述の開示されるプロジェクタを用いて画像を投射させようとする場合には、レンズシャッターを、画像光を投射可能に開口する開位置までスライド移動させる必要がある。その上、操作パネルカバーも、操作可能に開口する開位置までスライド移動させる必要がある。そうすると、使用者は、画像を投射させるにあたり、複数回の操作を行うことを必要とするので、操作が煩雑であるとの指摘があった。
【０００７】
本発明は、このような事情に鑑みなされたものであって、その目的は、操作性を向上させたプロジェクタを提供することにある。
【課題を解決するための手段】
【０００８】
上述した課題を解決するための手段として、本発明に係るプロジェクタは、光源装置と、前記光源装置から射出された光束を画像情報に応じて変調する光変調装置と、前記光変調装置にて変調された光束をスクリーンに拡大投射する投射光学装置と、前記光源装置、前記光変調装置、および前記投射光学装置を内部に収納する外装筐体とを備えたプロジェクタであって、前記外装筐体は、使用者が入力操作する操作入力部を外部に露出させる操作用開口部と、前記投射光学装置から拡大投射する光束を通過させる光束通過用開口部とを備え、スライド移動して前記操作用開口部の開口状態を閉塞状態とする操作パネルカバー部と、スライド移動して前記光束通過用開口部の開口状態を閉塞状態とするレンズシャッター部とを備え、前記操作パネルカバー部もしくは前記レンズシャッター部の何れか一方が、スライド移動することにより対応する前記操作用開口部もしくは前記光束通過用開口部の何れかを閉塞状態から開口状態とした場合には、その動作に連動して、前記操作パネルカバー部もしくは前記レンズシャッター部の何れか他方も、スライド移動することにより対応する前記操作用開口部もしくは前記光束通過用開口部の何れかを閉塞状態から開口状態とするように、前記操作パネルカバー部と前記レンズシャッター部とが一体化されて構成されていることを特徴とする。
【０００９】
このプロジェクタによれば、操作パネルカバー部とレンズシャッター部とが一体化されて構成されており、たとえば、操作パネルカバー部をスライド移動させることにより操作用開口部を閉塞状態から開口状態とした場合には、その動作に連動して、レンズシャッター部もスライド移動させて光束通過用開口部を閉塞状態から開口状態とすることができる。また逆に、たとえば、操作パネルカバー部をスライド移動させることにより操作用開口部を開口状態から閉塞状態とした場合にも、その動作に連動して、レンズシャッター部もスライド移動させて光束通過用開口部を開口状態から閉塞状態とすることができる。
【００１０】
さらに、レンズシャッター部をスライド移動させる場合であっても、上述と同様に、そのスライド移動の動作に連動して、操作パネルカバー部もスライド移動させることができ、光束通過用開口部の閉塞状態あるいは開口状態に合わせて、操作用開口部を閉塞状態あるいは開口状態とすることができる。
【００１１】
これによって、操作パネルカバー部もしくはレンズシャッター部の何れか一方をスライド移動させるだけで、この動作に連動するように、操作パネルカバー部もしくはレンズシャッター部の何れか他方も自動的にスライド移動させることができるので、操作上の煩雑さを解消し操作性を向上させることができる。さらに、操作パネルカバー部をスライド移動させるだけで、レンズシャッター部もスライド移動させて光束通過用開口部を開口状態とすることができるので、たとえば、その後、使用者が操作パネルにて操作入力し投射光学装置にて画像投射させた場合であっても、光束通過用開口部が開口状態となっているので、レンズシャッター部に投射光が当たることもなく、レンズシャッター部に熱を帯びさせてしまうような不具合を発生させない。
【００１２】
また、本発明に係るプロジェクタは、光源装置と、前記光源装置から射出された光束を画像情報に応じて変調する光変調装置と、前記光変調装置にて変調された光束をスクリーンに拡大投射する投射光学装置と、前記光源装置、前記光変調装置、および前記投射光学装置を内部に収納する外装筐体とを備えたプロジェクタであって、前記外装筐体は、使用者が入力操作する操作入力部を外部に露出させる操作用開口部と、前記投射光学装置から拡大投射する光束を通過させる光束通過用開口部とを備え、スライド移動して前記操作用開口部の開口状態を閉塞状態とする操作パネルカバー部と、スライド移動して前記光束通過用開口部の開口状態を閉塞状態とするレンズシャッター部とを備え、前記操作パネルカバー部もしくは前記レンズシャッター部の何れか一方が、スライド移動することにより対応する前記操作用開口部もしくは前記光束通過用開口部の何れかを閉塞状態から開口状態とした場合には、その動作に連動して、前記操作パネルカバー部もしくは前記レンズシャッター部の何れか他方も、スライド移動することにより対応する前記操作用開口部もしくは前記光束通過用開口部の何れかを閉塞状態から開口状態とする連動手段が、設けられていることを特徴とする。
【００１３】
このプロジェクタによれば、たとえば、操作パネルカバー部をスライド移動させることにより操作用開口部を閉塞状態から開口状態とした場合には、連動手段により、その動作に連動して、レンズシャッター部もスライド移動させて光束通過用開口部を閉塞状態から開口状態とすることができる。
また、レンズシャッター部をスライド移動させることにより光束通過用開口部を閉塞状態から開口状態とした場合には、連動手段により、その動作に連動して、操作パネルカバー部もスライド移動させて操作用開口部を閉塞状態から開口状態とすることができる。
なお、操作パネルカバー部もしくはレンズシャッター部の何れか一方をスライド移動させることによって、対応する操作用開口部もしくは光束通過用開口部の何れかを開口状態から閉塞状態とした場合にあっても、操作パネルカバー部もしくはレンズシャッター部の何れか他方も連動によりスライド移動させて、対応する操作用開口部もしくは光束通過用開口部の何れかを開口状態から閉塞状態とすることができる。
【００１４】
したがって、操作パネルカバー部もしくはレンズシャッター部の何れか一方をスライド移動させるだけで、同時に操作パネルカバー部もしくはレンズシャッター部の何れか他方も連動により自動的にスライド移動させることができるので、操作の煩雑さを解消し操作性を向上させることができる。さらに、操作パネルカバー部をスライド移動させるだけで、レンズシャッター部もスライド移動させて光束通過用開口部を開口状態とすることができるので、たとえば、その後、使用者が操作パネルにて操作入力し投射光学装置にて画像投射させた場合であっても、光束通過用開口部が開口状態となっているので、レンズシャッター部に投射光が当たることもなく、レンズシャッター部に熱を帯びさせてしまうような不具合を発生させない。
【００１５】
また、本発明に係るプロジェクタは、上述のプロジェクタにおいて、前記操作用開口部と、前記光束通過用開口部とは、互いに交差する面に設けられ、前記操作パネルカバー部および前記レンズシャッター部の少なくとも何れか一方が、可撓性を有していることが好ましい。
このプロジェクタによれば、操作用開口部と光束通過用開口部とは互いに交差する面に設けられ、操作パネルカバー部およびレンズシャッター部の少なくとも何れか一方が可撓性を有しているので、操作パネルカバー部およびレンズシャッター部の少なくとも何れか一方を、交差する面に沿って移動させることができる。
これによって、操作入力する方向と画像投射方向とが異なる方向に配されるように設計することができて、プロジェクタ全体のコンパクト化も図ることができる。
【００１６】
また、本発明に係るプロジェクタは、上述のプロジェクタにおいて、前記操作用開口部に対する前記操作パネルカバー部の位置、もしくは前記光束通過用開口部に対する前記レンズシャッター部の位置の、少なくとも何れか一方を検出する位置検出手段を備えていることが好ましい。
このプロジェクタによれば、位置検出手段は、操作用開口部に対する操作パネルカバー部の位置、光束通過用開口部に対するレンズシャッター部の位置の、少なくとも何れか一方を検出することができるので、操作用開口部に対する操作パネルカバー部の位置、もしくは光束通過用開口部に対するレンズシャッター部の位置に応じて、バリエーションに富んだ制御処理を行うことができる。
たとえば、位置検出手段にて検出された、操作用開口部に対する操作パネルカバー部の位置、もしくは光束通過用開口部に対するレンズシャッター部の位置に応じて、使用者に確認を促す表示に関する制御を行うことができたり、また、内蔵される冷却装置への電力供給を維持したまま、内蔵される光源装置への電力供給をオフにしたり等の適宜の制御処理を行うことができる。
【００１７】
また、本発明に係るプロジェクタは、上述のプロジェクタにおいて、前記位置検出手段が、前記操作用開口部もしくは前記光束通過用開口部の少なくとも何れか一方が全開状態となった場合に、前記操作パネルカバー部および前記レンズシャッター部の少なくとも何れか一方からの押下が解除されるか、若しくは前記操作パネルカバー部および前記レンズシャッター部の少なくとも何れか一方から押下されるかによって、全開状態となったと検出するメカニカルスイッチで構成されていることが好ましい。
【００１８】
このプロジェクタによれば、位置検出手段がメカニカルスイッチで構成され、操作パネルカバー部およびレンズシャッター部の少なくとも何れか一方からの押下が解除されるか、若しくは操作パネルカバー部およびレンズシャッター部の少なくとも何れか一方から押下されるかによって、操作用開口部もしくは光束通過用開口部の少なくとも何れか一方が全開状態となったと検出するので、使用者も、押下が解除される瞬間や押下される瞬間の触感の違いによって、操作用開口部もしくは光束通過用開口部の少なくとも何れか一方が全開状態となったと判断することができる。さらに、位置検出手段がメカニカルスイッチで構成された場合には、上述したような全開状態の検出を適宜の制御処理にて行う場合より、検出する構成を安価にすることができる点で有利である。
【００１９】
また、本発明に係るプロジェクタは、上述のプロジェクタにおいて、前記位置検出手段は、前記操作用開口部に対する前記操作パネルカバー部の位置、もしくは前記光束通過用開口部に対する前記レンズシャッター部の位置を、段階的に検出するように構成されていることが好ましい。
このプロジェクタによれば、位置検出手段が、操作用開口部に対する操作パネルカバー部の位置、もしくは光束通過用開口部に対するレンズシャッター部の位置を、段階的に検出するように構成されているので、その段階に応じて、バリエーションに富んだ制御処理を行うことができる。
たとえば、上述したような例の制御処理を、操作用開口部に対する操作パネルカバー部の位置、もしくは光束通過用開口部に対するレンズシャッター部の位置の段階的な状態に応じて、適宜の制御処理を行うことができる。
【発明を実施するための最良の形態】
【００２０】
［第１実施形態］
以下、本発明に係るプロジェクタの実施の形態について、図面を参照しながら説明する。なお、以下においては、説明の便宜上、プロジェクタ１からの画像光の投射方向をＺ軸とし、該Ｚ軸に直交する２つの軸をそれぞれＸ軸（水平軸）およびＹ軸（鉛直軸）とする。以下の図も同様である。
【００２１】
図１は、プロジェクタ１の外観を模式的に示す外観模式図である。図２は、プロジェクタ１の内部を模式的に示す内部模式図である。
プロジェクタ１は、図２に示すように、光源装置４１から射出された光束を画像情報に応じて光変調装置（液晶パネル４５１）にて変調して画像光を形成し、その形成された画像光を投射光学装置３にてスクリーンに拡大投射するものである。
【００２２】
プロジェクタ１は、図１および図２に示すように、外装筐体２、画像投射装置Ｇ、冷却装置５、電源装置６、ランプ駆動装置（バラスト）７、排気ファンユニット８、および図示しない制御装置等を備えて大略構成される。また、画像投射装置Ｇは、投射光学装置３、光学ユニット４を備えて構成される。
なお、図示していない制御装置は、光学ユニット４、冷却装置５、電源装置６、ランプ駆動装置（バラスト）７、および排気ファンユニット８と電気的に接続され、これらを制御する。また、制御装置は、使用者が入力操作する操作入力部としての操作パネル９８（図１参照）と電気的に接続されている。操作パネル９８は、後に説明する操作用開口部２１１から外部に露出されることにより使用者が操作可能な状態となる。
【００２３】
外装筐体２は、図１に示すように、略直方体形状を有する箱状の筐体で構成される。外装筐体２は、プロジェクタ１における天面（＋Ｙ軸方向側の面）部分、前面（＋Ｚ軸方向側の面）部分、側面（Ｘ軸方向に交差する各面）部分、および背面（−Ｚ軸方向側の面）部分を形成するアッパーケース２１と、プロジェクタ１における底面（−Ｙ軸方向側の面）部分を形成するロアーケース（不図示）とを備える。
【００２４】
外装筐体２の天面部分には、操作パネル９８を外部に露出させる操作用開口部２１１が設けられている。また、外装筐体２の前面部分には、投射光学装置３からスクリーンに画像光の光束を投射可能に通過させる、光束通過用開口部としての投射用開口部２１２が設けられている。すなわち、操作用開口部２１１および投射用開口部２１２は、外装筐体２のうち、互いに交差する天面部分と前面部分とに設けられており、互いの中心がＹＺ平面に配されるように位置している。
【００２５】
投射光学装置３は、具体的な図示を省略するが、複数のレンズと、この複数のレンズを収納する筒状の鏡筒とで構成され、光学ユニット４により形成された画像光を拡大投射する。
光学ユニット４は、図２に示すように、平面視略Ｌ字形状を有し、上述した制御装置による制御の下、光源装置４１から射出された光束を光学的に処理して画像情報に対応した画像光を形成するものであり、光源装置４１と、均一照明光学装置４２と、色分離光学装置４３と、リレー光学装置４４と、画像形成光学装置４５と、光学部品用筐体４６とを備える。
【００２６】
光源装置４１は、制御装置による制御の下、均一照明光学装置４２に向けて光束を射出する。この光源装置４１は、図２に示すように、光源としての光源ランプ４１１およびリフレクタ４１２を有する光源装置本体４１Ａと、平行化レンズ４１３と、これら各部材４１１〜４１３を内部に収納して一体化するハウジング部材４１４とを備えて構成される。なお、光源ランプ４１１は、ハロゲンガス（臭素など）や不活性ガス（ネオン、アルゴンなど）と水銀を封入し、電極間の放電を利用して発光する放電ランプによって構成されている。
【００２７】
均一照明光学装置４２は、光源装置４１から射出された光束を、光変調装置としての液晶パネル４５１の画像形成領域に略均一に照明するための光学系である。この均一照明光学装置４２は、図２に示すように、第１レンズアレイ４２１と、第２レンズアレイ４２２と、偏光変換素子４２３と、重畳レンズ４２４とを備える。また、フィールドレンズ４２５は、第２レンズアレイ４２２から射出された各部分光束をその中心軸（主光線）に対して平行な光束に変換する。
【００２８】
色分離光学装置４３は、図２に示すように、２枚のダイクロイックミラー４３１，４３２と、反射ミラー４３３とを備え、ダイクロイックミラー４３１，４３２により均一照明光学装置４２から射出された複数の部分光束を、赤、緑、青の３色の色光に分離する機能を有している。ダイクロイックミラー４３１では、青色光が分離され、青色光は反射ミラー４３３で反射されて液晶パネル４５１Ｂへ導かれる。ダイクロイックミラー４３２では緑色光と赤色光が分離され、緑色光は液晶パネル４５１Ｇへ導かれる。
リレー光学装置４４は、図２に示すように、入射側レンズ４４１、リレーレンズ４４３、および反射ミラー４４２，４４４を備え、ダイクロイックミラー４３２で分離された赤色光を画像形成光学装置４５の液晶パネル４５１Ｒまで導く機能を有している。
【００２９】
画像形成光学装置４５は、色分離光学装置４３から射出され入射する光束を画像情報に応じて変調および合成して画像光（カラー画像）を形成する機能を有している。この画像形成光学装置４５は、図２に示すように、画像情報に応じて変調する３枚の液晶パネル４５１（赤色光用の液晶パネル４５１Ｒ、緑色光用の液晶パネル４５１Ｇ、青色光用の液晶パネル４５１Ｂ）と、各液晶パネル４５１の光束入射側および光束射出側にそれぞれ配置される入射側偏光板４５２および射出側偏光板４５３と、変調された光束を合成する色合成光学装置としてのクロスダイクロイックプリズム４５４とを備える。なお、画像形成光学装置４５にて形成された画像光は、投射光学装置３に導かれる。
【００３０】
冷却装置５は、冷却風として外気を外装筐体２（プロジェクタ１）内部に導入し、プロジェクタ１内部の冷却対象に吹き当てるものである。冷却装置５は、具体的な図示を省略するが、軸流ファンまたはシロッコファンと、冷却対象まで冷却風（外気）を導くダクトなどを備える。
電源装置６は、プロジェクタ１を構成する各構成装置（例えば、光源ランプ４１１、前記制御装置等）に電力を供給するものであり、平面視略Ｌ字形状に構成された光学ユニット４のＬ字の内側部分に配されている。
ランプ駆動回路（バラスト）７は、光源装置４１を構成する光源ランプ４１１を駆動させる回路であり、電源装置６に隣接して配されている。
排気ファンユニット８は、プロジェクタ１内部に滞留する温められた空気を外装筐体２に設けられた排気口（不図示）を介してプロジェクタ１外部に排気するものであり、具体的な図示を省略するが、軸流ファンとダクトなどを備えて構成される。
【００３１】
図３は、図２において示す各種の内蔵装置の図示を省略した図であり、図１のＡ−Ａ断面を矢視するプロジェクタ１の断面模式図である。
図３に示すように、外装筐体２の内部のうち、操作用開口部２１１が設けられた外装筐体２の天面（＋Ｙ軸方向）側には、操作用開口部２１１が開口状態（全開状態）となっている際に外部に露出する操作パネル９８が配されている。また、外装筐体２の内部のうち、投射用開口部２１２が設けられた外装筐体２の前面（＋Ｚ軸方向）側には、投射用開口部２１２が開口状態（全開状態）となっている際に外部に露出する投射光学装置３が配されている。
【００３２】
また、図３に示すように、外装筐体２の内部には、操作用開口部２１１および投射用開口部２１２を開け閉めするための遮蔽機構９０が設けられている。
遮蔽機構９０は、上述した操作用開口部２１１および投射用開口部２１２を、開口状態（全開状態）もしくは閉塞状態とするものであり、外装筐体２に対してスライド移動し操作用開口部２１１および投射用開口部２１２を開口閉塞する遮蔽部材９１と、遮蔽部材９１をスライド移動可能に外装筐体２の内面側で保持する保持部材（不図示）とを備えて大略構成される。
【００３３】
図４は、遮蔽部材９１の斜視図である。
遮蔽部材９１は、図４に示すように、中間部が開口された平面視略長方形形状を有して形成されている。すなわち、遮蔽部材９１は、操作用開口部２１１を閉塞させる操作パネルカバー部９２と、投射用開口部２１２を閉塞させるレンズシャッター部９３とを一体化して構成され、その中間に位置された操作パネルカバー部９２とレンズシャッター部９３との間には、開口形状となる露出用開口部９４が設けられている。
【００３４】
この操作パネルカバー部９２、レンズシャッター部９３、露出用開口部９４は、次のように設定されて、遮蔽部材９１を構成している。
なお、以下においては、この遮蔽部材９１のうち、レンズシャッター部９３側の端縁を先端縁９１Ａとし、操作パネルカバー部９２側の端縁を後端縁９１Ｂとする。
【００３５】
すなわち、操作パネルカバー部９２は、操作用開口部２１１を閉塞するようにその開口形状に合わせた形状を有して形成されており、露出用開口部９４は、操作用開口部２１１の開口形状に合わせた開口形状を有して形成されている。また、レンズシャッター部９３は、投射用開口部２１２を閉塞するようにその開口形状に合わせた形状を有して形成されている。なお、操作パネルカバー部９２と、レンズシャッター部９３とは、露出用開口部９４の±Ｘ軸方向の両側に位置される側縁部９５Ａ，９５Ｂにて一体化されている。
【００３６】
また、遮蔽部材９１は、操作パネルカバー部９２が操作用開口部２１１を閉塞した場合には、レンズシャッター部９３も投射用開口部２１２を閉塞するように設定されて形成されている。具体的には、操作パネルカバー部９２が操作用開口部２１１を閉塞させるように、操作パネルカバー部９２の＋Ｚ軸方向側の端縁９１Ｃを、操作用開口部２１１の＋Ｚ軸方向側の端縁２１１Ａの近傍に位置させた場合には、遮蔽部材９１の先端縁９１Ａも、投射用開口部２１２の−Ｙ軸方向側の端縁２１２Ａの近傍に位置するように設定されて形成されている。
【００３７】
露出用開口部９４が操作用開口部２１１に一致するように位置して全開となった開口状態（全開状態）の場合には、投射用開口部２１２も全開となった開口状態（全開状態）となるように、遮蔽部材９１の先端縁９１Ａは、操作用開口部２１１の開口上側縁に位置するようになっている。
具体的には、操作パネルカバー部９２が操作用開口部２１１を開口させるように、操作パネルカバー部９２の＋Ｚ軸方向側の端縁９１Ｃを、操作用開口部２１１の−Ｚ軸方向側の端縁２１１Ｂの近傍に位置させた場合には、遮蔽部材９１の先端縁９１Ａも、投射用開口部２１２の＋Ｙ軸方向側の端縁２１２Ｂの近傍に位置するように、遮蔽部材９１は形成されている。この際の外装筐体２に対する遮蔽部材９１の位置は、操作用開口部２１１および投射用開口部２１２を開口状態とする開位置となっており、露出用開口部９４は操作用開口部２１１を全開状態とするように操作用開口部２１１と一致する位置に存する。
【００３８】
なお、この外装筐体２に対する遮蔽部材９１の位置は、操作用開口部２１１および投射用開口部２１２が閉塞状態となっている場合が閉位置となっており、操作用開口部２１１および投射用開口部２１２が全開状態となっている場合が開位置となっており、遮蔽部材９１が開位置に存する場合には、露出用開口部９４は、操作用開口部２１１と一致する位置に存する。
【００３９】
また、遮蔽部材９１は、±Ｚ軸方向にスライド移動させた際に、外装筐体２の内面にそって撓ませることができるように可撓性を有した樹脂で形成されている。
また、操作パネルカバー部９２の＋Ｚ軸方向側の端縁９１Ｃにおいては、使用者が手で摘まむ個所となる、上方（＋Ｙ軸方向）に突出したツマミ部９６が設けられている。
【００４０】
図示を省略した遮蔽機構９０を構成する保持部材は、外装筐体２の内面側に遮蔽部材９１を保持し、かつ、遮蔽部材９１のスライド移動を外装筐体２の内面に沿って案内する機能を有するものであって、外装筐体２に対して±Ｚ軸方向に遮蔽部材９１が摺動可能に、遮蔽部材９１の両側縁部９１Ｅ，９１Ｆを、外装筐体２の内面と挟み込むようにして保持するように構成される。
【００４１】
また、操作用開口部２１１から外部に露出される操作パネル９８には、使用者が操作入力する操作入力スイッチ９８１のほか、操作パネルカバー部９２の位置を検出する位置検出手段としての電源スイッチ９８２とを備える。なお、電源スイッチ９８２は、押下されることによりオンオフを検出するメカニカルスイッチで構成され、操作パネルカバー部９２の位置を検出すると同時に、電源をオンオフするようになっている。
【００４２】
電源スイッチ９８２は、図３に示すように、操作パネル９８のうち、操作用開口部２１１の−Ｚ軸方向側の端縁２１１Ｂの近傍に位置するように設けられている。この電源スイッチ９８２は、押下されることにより、プロジェクタ１の電源をオフとする電源スイッチであって、スライド移動する操作パネルカバー部９２の存する位置まで突出して設けられている。つまり、操作用開口部２１１が操作パネルカバー部９２により閉塞されている場合には、電源スイッチ９８２は、操作パネルカバー部９２と接触して押下された状態となる。電源スイッチ９８２の天面は、図３に示すように、ドーム状に中央が丸みを帯びて突出した形状を有して形成されている。なお、操作用開口部２１１が全開状態となっている場合には、操作パネルカバー部９２による電源スイッチ９８２の押下は解除され、プロジェクタ１の電源はオフからオンへと切り替わる。
【００４３】
以上のように構成されたプロジェクタ１は、次のように動作することができる。図５は、図１のＡ−Ａ断面において外装筐体２に対する遮蔽部材９１の動作を模式的に示す作動断面図である。図６は、外観において遮蔽部材９１の動作を模式的に示す作動斜視図である。
なお、図５（Ａ）および図６（Ａ）は、操作用開口部２１１および投射用開口部２１２を閉塞させている状態を示す図である。図５（Ｂ）および図６（Ｂ）は、操作用開口部２１１および投射用開口部２１２が半開きとなっている状態を示す図である。図５（Ｃ）および図６（Ｃ）は、操作用開口部２１１および投射用開口部２１２が全開状態を示す図である。
【００４４】
図５（Ａ）および図６（Ａ）に示すように、操作用開口部２１１は、遮蔽部材９１の操作パネルカバー部９２により閉塞状態とされているとともに、投射用開口部２１２も、遮蔽部材９１のレンズシャッター部９３により閉塞状態とされている。
この際、操作用開口部２１１は、操作パネルカバー部９２により閉塞状態となっているので、操作パネル９８の電源スイッチ９８２は、操作パネルカバー部９２により押下された状態となっており、プロジェクタ１の電源はオフの状態となっている。
このように、操作用開口部２１１および投射用開口部２１２が、遮蔽部材９１により閉塞状態とされていると、操作パネル９８および投射光学装置３を、塵埃の溜まり難い綺麗な状態に保てることができ、かつ外的損傷から保護することができる。
【００４５】
一方、使用者が操作パネルカバー部９２に設けられたツマミ部９６を手で摘まみ、外装筐体２に対して−Ｚ軸方向にスライド移動させる。
そうすると、それまで操作用開口部２１１を閉塞していた操作パネルカバー部９２は、図５（Ｂ）および図６（Ｂ）に示すように、−Ｚ軸方向にスライド移動していき、これにしたがって露出用開口部９４が操作用開口部２１１に合わされるように−Ｚ軸方向にスライド移動してくる。つまり、操作用開口部２１１は、次第に開口していくこととなり、操作パネルカバー部９２によって隠れていた操作パネル９８が、操作入力可能に外部に露出してくる。
【００４６】
この際、投射用開口部２１２を閉塞していたレンズシャッター部９３は、側縁部９５Ａ，９５Ｂにて操作パネルカバー部９２と一体化されているので、操作パネルカバー部９２の−Ｚ軸方向にスライド移動にしたがって、レンズシャッター部９３も＋Ｙ軸方向にスライド移動する。つまり、それまで投射用開口部２１２を閉塞していたレンズシャッター部９３は、図５（Ｂ）および図６（Ｂ）に示すように、＋Ｙ軸方向にスライド移動していき、投射用開口部２１２は、次第に開口していくこととなり、レンズシャッター部９３によって隠れていた投射光学装置３が、投射可能に外部に露出してくる。
【００４７】
さらに、使用者は、操作パネルカバー部９２に設けられたツマミ部９６を手で摘まみ、外装筐体２に対して−Ｚ軸方向にスライド移動させていくと、やがて、図５（Ｃ）および図６（Ｃ）に示すように、ツマミ部９６は操作用開口部２１１の−Ｚ軸方向の端縁２１１Ｂの近傍に到達して、露出用開口部９４は操作用開口部２１１に合わされ、操作用開口部２１１は全開状態となる。そうすると、遮蔽部材９１の先端縁９１Ａも、投射用開口部２１２内から投射用開口部２１２の＋Ｙ軸方向の端縁２１２Ｂの近傍に到達して、投射用開口部２１２も全開状態となる。
【００４８】
ここで、操作用開口部２１１は全開状態となるので、それまで操作パネルカバー部９２による電源スイッチ９８２の押下が解除されることとなって、プロジェクタ１の電源はオンの状態となる。
また、このように操作用開口部２１１および投射用開口部２１２が開口状態となった場合には、操作パネル９８は使用者から入力操作可能な状態となるとともに、投射光学装置３は画像投射可能な状態となる。
【００４９】
なお、逆に、図５（Ｃ）および図６（Ｃ）から、図５（Ｂ）および図６（Ｂ）となるように、つまり、操作用開口部２１１が全開状態となっている場合において、ツマミ部９６を＋Ｚ軸方向にスライド移動させた場合には、操作パネルカバー部９２により電源スイッチ９８２が押下されることとなって、プロジェクタ１の電源はオフ状態となる。具体的には、操作パネル９８から入力操作することができなくなるとともに、投射光学装置３から画像投射されないオフ状態となる。
【００５０】
以上、操作用開口部２１１を全開状態とするように操作パネルカバー部９２をスライド移動させるだけで、この動作に連動するように、レンズシャッター部９３も自動的にスライド移動させて投射用開口部２１２を全開状態とすることができるので、操作上の煩雑さを解消し操作性を向上させることができる。
【００５１】
また、操作パネルカバー部９２をスライド移動させて、操作用開口部２１１を全開状態とするだけで、操作パネルカバー部９２よる電源スイッチ９８２の押下も解除して、プロジェクタ１の電源もオンの状態とすることができる。これによって、使用者がプロジェクタ１を使用しようとした場合には、操作パネルカバー部９２をスライド移動させるだけの１操作だけで、電源もオンの状態とすることができるので、操作上の煩雑さを解消し操作性を向上させることができる。
【００５２】
さらに、操作パネルカバー部９２をスライド移動させるだけで、レンズシャッター部９３もスライド移動させて投射用開口部２１２を全開状態とさせることができるので、その後、使用者が操作パネル９８にて操作入力し投射光学装置３にて画像投射させた場合であっても、投射用開口部２１２は全開状態となっているので、レンズシャッター部９３に投射光が当たることもなく、レンズシャッター部９３に熱を帯びさせてしまうような不具合を発生させない。
【００５３】
また、このプロジェクタ１によれば、操作用開口部２１１と投射用開口部２１２とは互いに交差する面に設けられ、操作パネルカバー部９２およびレンズシャッター部９３の両方が外装筐体２の内面にそって撓ませることができるように可撓性を有した樹脂で形成されているので、操作パネルカバー部９２およびレンズシャッター部９３の両方を、交差する面に沿って移動させることができる。これによって、操作入力する方向と画像投射方向とが異なる方向に配されるように設計することができて、プロジェクタ１全体のコンパクト化も図ることができる。
【００５４】
また、このプロジェクタ１によれば、電源スイッチ９８２がメカニカルスイッチで構成され、操作パネルカバー部９２からの押下が解除されることによって、操作用開口部２１１が全開状態となったと検出してプロジェクタ１の電源もオンの状態とするので、使用者は、押下が解除される瞬間や押下される瞬間の触感の違いによって、操作用開口部２１１が全開状態となったと判断することができる。
また、図３に示すように、電源スイッチ９８２の天面は、ドーム状に中央が丸みを帯びて突出した形状を有して形成されているので、操作パネルカバー部９２にて電源スイッチ９８２を押下したり、その押下を解除したりするに際して、その押下させたり押下を解除したりすることを、滑らかに行うことができる。
さらに、このように電源スイッチ９８２がメカニカルスイッチである場合には、全開状態の検出を適宜の制御処理にて行う場合より、検出する構成を安価にすることができる点で有利である。
【００５５】
［第２実施形態］
次に、上述した第１実施形態のプロジェクタ１とは異なる構成を有した第２実施形態のプロジェクタ１´について説明する。
なお、第２実施形態のプロジェクタ１´は、上述した第１実施形態のプロジェクタ１と位置検出手段としての電源スイッチ９８２に関する構成のみが異なり、その他の構成に関しては第１実施形態のプロジェクタ１と同様に構成される。したがって、以下においては、位置検出手段としての位置検出スイッチ９９に関して説明し、上述した第１実施形態と同様に構成される個所については同一の符号を付して、その説明を省略する。
【００５６】
図７は、図３と同様な断面を矢視した第２実施形態のプロジェクタ１´を示す断面模式図である。
図７に示すように、第２実施形態のプロジェクタ１´の操作パネル９８´には、第１実施形態において説明した電源スイッチ９８２が設けられておらず、その代わりに位置検出スイッチ９９が設けられている。
【００５７】
すなわち、外装筐体２の背面（−Ｚ軸方向）側の内部には、背面側に向かって突出し、遮蔽部材９１の後端縁９１Ｂにて押下されることにより遮蔽部材９１の位置を検出する２つの位置検出スイッチ、即ち第１位置検出スイッチ９９Ａおよび第２位置検出スイッチ９９Ｂが設けられている。
なお、第１位置検出スイッチ９９Ａおよび第２位置検出スイッチ９９Ｂは、押下されることによって、押下された旨の検出信号を制御装置に送信するようになっており、押下されていない場合には、検出した旨の検出信号を制御装置に送信しないようになっている。
【００５８】
具体的には、この第１位置検出スイッチ９９Ａおよび第２位置検出スイッチ９９Ｂは、Ｙ軸方向に沿うように並べられて設けられており、第１位置検出スイッチ９９Ａは、第２位置検出スイッチ９９Ｂより上側（＋Ｙ軸方向側）に配されている。つまり、操作用開口部２１１および投射用開口部２１２を全開状態にさせようとして遮蔽部材９１をスライド移動させると、遮蔽部材９１の後端縁９１Ｂは、第１位置検出スイッチ９９Ａ、第２位置検出スイッチ９９Ｂの順で押下していき、また、操作用開口部２１１および投射用開口部２１２が全開状態となっている場合には、第１位置検出スイッチ９９Ａおよび第２位置検出スイッチ９９Ｂの双方を押下するように、第１位置検出スイッチ９９Ａおよび第２位置検出スイッチ９９Ｂが配されている。
【００５９】
このように構成されたプロジェクタ１´は、次のように動作する。図８は、遮蔽部材９１の動作を示す作動断面図である。なお、図８（Ａ）は操作用開口部２１１および投射用開口部２１２を閉塞させている状態を示す図であり、図８（Ｂ）は操作用開口部２１１および投射用開口部２１２が半開きとなっている状態を示す図であり、図８（Ｃ）は、操作用開口部２１１および投射用開口部２１２が全開状態を示す図である。制御装置は位置検出スイッチ９９の検出に応じて次のような制御処理を行う。
【００６０】
すなわち、ツマミ部９６を−Ｚ軸方向にスライド移動させ、操作用開口部２１１および投射用開口部２１２を開口させていくと、遮蔽部材９１の後端縁９１Ｂは、外装筐体２の背面部分にそってスライド移動していき、まず第１位置検出スイッチ９９Ａを押下する。そうすると、押下された第１検出スイッチ９９Ａは、制御装置に押下された旨の検出信号を送信する。
【００６１】
さらに、ツマミ部９６を−Ｚ軸方向にスライド移動させていくと、遮蔽部材９１の後端縁９１Ｂは、次いで第２位置検出スイッチ９９Ｂを押下する。なお、第２位置検出スイッチ９９Ｂが押下されている場合には、第１位置検出スイッチ９９Ａは押下された状態が維持されている。そうすると、押下された第２検出スイッチ９９Ｂは、押下されている第１検出スイッチ９９Ａとともに、制御装置に押下された旨の検出信号を送信する。
【００６２】
制御装置は、上述した第１位置検出スイッチ９９Ａおよび第２位置検出スイッチ９９Ｂからの検出信号の受信にしたがって、次のような制御処理を行う。図９は、操作用開口部２１１および投射用開口部２１２を、閉塞状態から全開状態とした場合の制御処理のフローを示すフローチャートである。図１０は、操作用開口部２１１および投射用開口部２１２を、全開状態から閉塞状態とした場合の制御処理のフローを示すフローチャートである。
【００６３】
すなわち、制御装置は、操作用開口部２１１および投射用開口部２１２を閉塞状態から全開状態とさせ、電源オフ状態から電源オン状態に切り替わるに際しては、次のような制御処理を行う。
すなわち、このプロジェクタ１´の制御装置は、図９に示すように、まず、第１位置検出スイッチ９９Ａが、遮蔽部材９１の後端縁９１Ｂにて押下されているか否かを判断する（Ｓ１１）。具体的には、制御装置が、第１位置検出スイッチ９９Ａが遮蔽部材９１の後端縁９１Ｂにより押下された旨の検出信号を受信しているか否かを判断する。制御装置が、第１位置検出スイッチ９９Ａから押下された旨の検出信号を受信していない場合には、第１位置検出スイッチ９９Ａが押下されていないと判断し、制御装置は電源オフ状態を維持する。
【００６４】
Ｓ１１において、制御装置は、第１位置検出スイッチ９９Ａから押下された旨の検出信号を受信して、第１位置検出スイッチ９９Ａが押下されていると判断した場合には、次いで制御装置は、第２位置検出スイッチ９９Ｂが押下されているか否かを判断する（Ｓ１２）。具体的には、制御装置が、第２位置検出スイッチ９９Ｂが遮蔽部材９１の後端縁９１Ｂにより押下された旨の検出信号を受信したか否かの判断をする。制御装置が、第２位置検出スイッチ９９Ｂから押下された旨の検出信号を受信していない場合には、第２位置検出スイッチ９９Ｂが押下されていないと判断し、第２位置検出スイッチ９９Ａが押下されるまで、制御装置は電源オフ状態を維持する。
【００６５】
Ｓ１２において、第２位置検出スイッチ９９Ｂから押下された旨の検出信号を受信した場合には、制御装置は、第２位置検出スイッチ９９Ｂが押下されたものと判断し、電源オン状態の制御処理を行う。すなわち、内蔵される各種の装置に、予め設定された電力を供給するように制御処理を行う（Ｓ１３）。
【００６６】
他方、制御装置は、操作用開口部２１１および投射用開口部２１２を全開状態から閉塞方向に変化させ、電源オン状態から電源オフ状態に切り替えるに際しては、次のような制御処理を行う。なお、電源オン状態の場合には、操作用開口部２１１および投射用開口部２１２は全開状態となっており、第１位置検出スイッチ９９Ａおよび第２位置検出スイッチ９９Ｂの双方が押下されている。
【００６７】
すなわち、このプロジェクタ１´の制御装置は、図１０に示すように、まず、遮蔽部材９１の後端縁９１Ｂによる押下が外れて、第２位置検出スイッチ９９Ｂの押下が解除されたか否かを判断する（Ｓ２１）。具体的には、制御装置は、第２位置検出スイッチ９９Ｂからの押下されている旨の検出信号の受信が途絶えたか否かで判断する。第２位置検出スイッチ９９Ｂから押下されている旨の検出信号の受信が途絶えていない場合には、制御装置は、第２位置検出スイッチ９９Ｂが押下された状態が継続されていると判断し、プロジェクタ１´の電源オン状態を維持する。
【００６８】
Ｓ２１において、制御装置が、第２位置検出スイッチ９９Ｂから押下されている旨の検出信号の受信が途絶えたと判断した場合には、次いでプロジェクタ１´が電源オフとしてよいのかの確認を使用者に促す表示制御処理を行って、電源オフ準備状態となる（Ｓ２２）。この表示制御処理としては、たとえば、ＯＳＤ（On Screen Display）等を用いて適宜の表示制御処理を行う。なお、このＳ２２においては、適宜の準備制御処理を行ったりするようにしてもよい。
【００６９】
Ｓ２２において表示制御処理を行った後には、次いで、遮蔽部材９１の後端縁９１Ｂによる押下が外れて、第１位置検出スイッチ９９Ａの押下が解除されたか否かを判断する（Ｓ２３）。具体的には、制御装置は、第１位置検出スイッチ９９Ａからの押下されている旨の検出信号の受信が途絶えたか否かで判断する。第１位置検出スイッチ９９Ａから押下されている旨の検出信号の受信が途絶えていない場合には、制御装置は、第１位置検出スイッチ９９Ａが押下された状態が継続されていると判断し、プロジェクタ１´の電源オフ準備状態を維持する。
Ｓ２３において、制御装置が、第１位置検出スイッチ９９Ａから押下されている旨の検出信号の受信が途絶えたと判断した場合には、プロジェクタ１´を電源オフ状態とする制御処理を行う（Ｓ２４）。
【００７０】
このようにして、プロジェクタ１´は、第１位置検出スイッチ９９Ａおよび第２位置検出スイッチ９９Ｂを備えて構成されることにより、遮蔽部材９１の位置を段階的に検出することができて、その段階に応じてバリエーションに富んだ制御処理を行うことができ、使用者にとって使い勝手のよいものとなる。
【００７１】
［第３実施形態］
次に、上述した第１実施形態および第２実施形態のプロジェクタ１´とは異なる構成を有する、第３実施形態のプロジェクタについて説明する。
なお、第３実施形態のプロジェクタは、上述した第１実施形態および第２実施形態のプロジェクタ１´とは、遮蔽機構９０に関しての構成が異なる例であり、その他の構成に関しては、第１実施形態および第２実施形態のプロジェクタ１，１´と同様に構成される。したがって、以下においては、上述の第１実施形態とは異なる遮蔽機構９０´に関してのみを図示して説明し、上述した第１実施形態と同様に構成される個所については、同一の符号を付してその説明を省略する。
【００７２】
上述したプロジェクタの遮蔽機構９０は、操作パネルカバー部９２およびレンズシャッター部９３が連動するように、一体化されて構成されるものであった。これに比して、具体的な図示を省略するが、第３実施形態のプロジェクタの操作パネルカバー部９２´およびレンズシャッター部９３´は、第１実施形態の遮蔽部材９１のように側縁部９５Ａ，９５Ｂは設けられておらず、第１実施形態の操作パネルカバー部９２およびレンズシャッター部９３を別個に切り離すようにされた別体の部材で構成される。
【００７３】
図１１は、第３実施形態のプロジェクタの遮蔽機構９０´の制御系統を示すブロック図であり、遮蔽機構９０´は、連動手段としての、パネルカバー位置検出器９２１、パネルカバー駆動装置９２２、レンズシャッター位置検出器９３１、レンズシャッター駆動装置９３２、およびこれらと電気的に接続される制御装置９００´を備える。
すなわち、操作パネルカバー部９２´には、操作用開口部２１１に対しての操作パネルカバー部９２´の位置を検出する位置検出手段としてのパネルカバー位置検出器９２１と、投射用開口部２１２を閉塞させる閉位置と全開させる開位置との間をスライド移動させるパネルカバー駆動装置９２２とが設けられている。
また、レンズシャッター部９３´には、投射用開口部２１２に対してのレンズシャッター部９３´の位置を検出する位置検出手段としてのレンズシャッター位置検出器９３１と、投射用開口部２１２を閉塞させる閉位置と全開させる開位置との間をスライド移動させるレンズシャッター駆動装置９３２とが設けられている。
【００７４】
パネルカバー位置検出器９２１は、操作用開口部２１１に対しての操作パネルカバー部９２´の位置を検出するものであり、具体的には、上述した第１実施形態のように、押下されることにより検出信号を発信するスイッチセンサで構成される。なお、このパネルカバー位置検出器９２１は、適宜の個所に複数設けられることにより構成されるものであってもよい。このパネルカバー位置検出器９２１は、具体的には、操作パネルカバー部９２´が、操作用開口部２１１を操作パネルカバー部９２´にて閉塞状態となる閉位置に存するか、操作用開口部２１１が全開状態となる開位置に存するか、あるいは、その閉位置と開位置との中間位置に存するかを検出する。
【００７５】
パネルカバー駆動装置９２２は、適宜のモータ（電気モータ、超音波モータ）等の駆動力発生手段と、その駆動力にて操作パネルカバー部９２´をスライド移動させる適宜のギアやシャフト等の動力伝達手段とを備えて構成されるものであり、操作用開口部２１１を操作パネルカバー部９２´にて閉塞状態となる閉位置と、操作用開口部２１１が全開状態となる開位置との間において、操作パネルカバー部９２´をスライド移動させる。
【００７６】
レンズシャッター部９３´に設けられるレンズシャッター位置検出器９３１およびレンズシャッター駆動装置９３２に関しても、パネルカバー位置検出器９２１およびパネルカバー駆動装置９２２と同様に構成される。
すなわち、レンズシャッター位置検出器９３１も、上述した第１実施形態のように、押下されることにより検出信号を発信するスイッチセンサで構成される。このレンズシャッター位置検出器９３１は、レンズシャッター部９３´が、投射用開口部２１２をレンズシャッター部９３´にて閉塞状態となる閉位置に存するか、投射用開口部２１２が全開状態となる開位置に存するか、あるいは、その閉位置と開位置との中間位置に存するかを検出する。
レンズシャッター駆動装置９３２も、適宜のモータ（電気モータ、超音波モータ）等の駆動力発生手段と、その駆動力にてレンズシャッター部９３´をスライド移動させる適宜のギアやシャフト等の動力伝達手段とを備えて構成されるものであり、投射用開口部２１２をレンズシャッター部９３´にて閉塞状態となる閉位置と、投射用開口部２１２が全開状態となる開位置との間において、レンズシャッター部９３´をスライド移動させる。
【００７７】
上述したパネルカバー位置検出器９２１およびレンズシャッター位置検出器９３１は、検出信号を送信可能に制御装置９００´に接続され、パネルカバー駆動装置９２２およびレンズシャッター駆動装置９３２は、駆動指示信号を受信可能に制御装置９００´に接続されている。
なお、上述したパネルカバー位置検出器９２１およびレンズシャッター位置検出器９３１は、適宜の割り込み時間（例えば、０．２秒）ごとで制御装置９００´に検出信号を送信する。また、制御装置９００´は、受信した検出信号にしたがって、パネルカバー位置検出器９２１およびレンズシャッター位置検出器９３１が、上述した閉位置、全開位置、中間位置に存するかを判断している。つまり、操作パネルカバー部９２´およびレンズシャッター部９３´は、それぞれの位置検出器９２１，９３１および駆動装置９２２，９３２により、フィードバック制御されている。
【００７８】
以上のように構成された第３実施形態のプロジェクタの制御装置９００´は、位置検出器９２１，９３１からの検出信号を受信し、駆動装置９２２，９３２を、次のように制御する。
すなわち、制御装置９００´は、たとえば使用者が操作パネルカバー部９２´をスライド移動させた場合には、その操作パネルカバー部９２´のスライド移動にそって、レンズシャッター部９３´もスライド移動させるように、レンズシャッター駆動装置９３２を制御する。
また逆に、制御装置９００´は、たとえば使用者がレンズシャッター部９３´をスライド移動させた場合には、そのレンズシャッター部９３´のスライド移動にそって、操作パネルカバー部９２´もスライド移動させるように、パネルカバー駆動装置９２２を制御する。
【００７９】
より具体的には、使用者が、操作パネルカバー部９２´を閉位置から、中間位置あるいは全開位置にスライド移動させた場合には、レンズシャッター部９３´も閉位置から、中間位置あるいは全開位置にスライド移動させるように、制御装置９００´はレンズシャッター駆動装置９３２を制御する。また、使用者が、操作パネルカバー部９２´を全開位置から、中間位置あるいは閉位置にスライド移動させた場合には、レンズシャッター部９３´も全開位置から、中間位置あるいは閉位置にスライド移動させるように、制御装置９００´はレンズシャッター駆動装置９３２を制御する。
【００８０】
またこれとは逆に、使用者が、レンズシャッター部９３´の位置を閉位置から、中間位置あるいは全開位置にスライド移動させた場合においては、操作パネルカバー部９２´も閉位置から、中間位置あるいは全開位置にスライド移動させるように、制御装置９００´はパネルカバー駆動装置９２２を制御する。また、使用者が、レンズシャッター部９３´の位置を全開位置から、中間位置あるいは閉位置にスライド移動させた場合には、操作パネルカバー部９２´も全開位置から、中間位置あるいは閉位置にスライド移動させるように、制御装置９００´はパネルカバー駆動装置９２２を制御する。
【００８１】
以上、第３実施形態のプロジェクタにあっても、第１実施形態のプロジェクタ１とは異なり、操作パネルカバー部９２´と、レンズシャッター部９３´とが別体で構成されるも、操作用開口部２１１を全開状態とするように操作パネルカバー部９２´をスライド移動させるだけで、この動作に連動するように、レンズシャッター部９３´も自動的にスライド移動させて投射用開口部２１２を全開状態とすることができるので、操作上の煩雑さを解消し操作性を向上させることができる。
【００８２】
さらに、操作パネルカバー部９２´をスライド移動させるだけで、レンズシャッター部９３´もスライド移動させて投射用開口部２１２を全開状態とさせることができるので、その後、使用者が操作パネル９８にて操作入力し投射光学装置３にて画像投射させた場合であっても、投射用開口部２１２は全開状態となっているので、レンズシャッター部９３´に投射光が当たることもなく、レンズシャッター部９３´に熱を帯びさせてしまうような不具合を発生させない。
【００８３】
なお、投射用開口部２１２を全開状態とするようにレンズシャッター部９３´をスライド移動させるだけで、この動作に連動するように、操作パネルカバー部９２´も自動的にスライド移動させて操作用開口部２１１を全開状態とすることもできる。また、全開状態となっていたものを閉塞状態させる場合にも、操作パネルカバー部９２´と、レンズシャッター部９３´とを連動させることができ、操作上の煩雑さを解消し操作性を向上させることができる。
【００８４】
なお、本発明に係るプロジェクタは、上述の実施の形態に限定されるものではなく、本発明の趣旨を逸脱しない範囲において、適宜に選択変更して構成されるものであってもよい。
例えば、上述した実施形態におけるプロジェクタにあっては、操作用開口部２１１および投射用開口部２１２が、外装筐体２のうち、互いに交差する天面部分と前面部分とにおいて設けられたものであったが、本発明に係るプロジェクタは、これに限定されることなく、たとえば、操作用開口部２１１および投射用開口部２１２が、ともに天面部分において設けられるものであってもよい。
【００８５】
また、上述した実施形態におけるプロジェクタにあっては、操作用開口部２１１および投射用開口部２１２は、外装筐体２のうち、互いの中心がＹＺ平面に配されるように位置して設けられたものであったが、本発明に係るプロジェクタは、これに限定されることなく、互いの中心がずらされるように位置して設けられるようにしてもよい。
なお、操作用開口部２１１および投射用開口部２１２の中心が、互いにずらされるように位置して設けられた場合には、これにあわせて、操作パネルカバー部９２（９２´）およびレンズシャッター部９３（９３´）をずらして配するように、遮蔽部材９１を設計しなければならない。
【００８６】
また、上述した実施形態におけるプロジェクタにあっては、操作パネルカバー部９２（９２´）およびレンズシャッター部９３（９３´）の両方が外装筐体２の内面にそって撓ませることができるように可撓性を有した樹脂で形成されていたが、操作用開口部２１１および投射用開口部２１２の配置位置や、外装筐体２の構成によって、操作パネルカバー部９２（９２´）およびレンズシャッター部９３（９３´）のうちの何れか一方のみが可撓性を有した樹脂で形成されるものであってもよい。
また、操作パネルカバー部９２（９２´）およびレンズシャッター部９３（９３´）は、可撓性を有した樹脂によって形成されることにより可撓性を有するものとなっていたが、本発明に係るプロジェクタは、これに限定されることなく、たとえば、外装筐体２の内面にそって撓ませることができるように、複数のヒンジ部材によって連結された部材により可撓性を有するようにしてもよい。
【００８７】
また、上述の実施形態においては、電源スイッチ９８２は、単にプロジェクタの電源オンとするように構成されるものであったが、これに限定されず、適宜の制御処理がなされたり、また、直ぐに投射光学装置３にて画像投射が開始されたりするように構成されるものであっても、何ら問題の無いものとされる。
また、上述の実施形態のツマミ部９６にあっては、操作パネルカバー部９２に設けられているものであったが、これに限定されることなく、たとえばレンズシャッター部９３に設けられるものであってもよく、遮蔽部材９１の適宜の個所に複数設けられるものであっても何ら問題の無いものとされる。
【００８８】
また、上述した位置検出手段としての、第１実施形態の電源スイッチ９８２、第２実施形態の位置検出スイッチ９９、第３実施形態のパネルカバー位置検出器９２１およびレンズシャッター位置検出器９３１にあっては、押下が解除されたり押下されたりすることによって検出するメカニカルスイッチで構成されるものであった。しかしながら、本発明に係るプロジェクタは、これに限定されることなく、フォトセンサに代表される適宜の光センサにて構成されるものであっても、何ら問題の無いものとされる。
【００８９】
また、上述の実施形態の電源スイッチ９８２が設けられる個所については、操作パネル９８に限定されることなく、全開状態となった場合に、遮蔽部材９１の一部によって押下が解除されたり、もしくは押下されたりすることによって、オンオフ検出可能に構成されているものであれば、何ら問題の無いものとされる。
また、上述の実施形態の位置検出スイッチ９９は、２つの位置検出スイッチ９９Ａ，９９Ｂによって構成されるものであったが、これに限定されることなく、適宜数の位置検出スイッチによって構成されるものであっても何ら問題の無いものとされる。
また、上述の実施形態の位置検出手段としてのパネルカバー位置検出器９２１およびレンズシャッター位置検出器９３１にあっても、同様に、適宜数の位置検出スイッチによって構成されるものであっても何ら問題の無いものとされる。
また、上述の実施形態の位置検出スイッチ９９は、２つの位置検出スイッチ９９Ａ，９９Ｂによって構成されることにより、遮蔽部材９１の位置を段階的に検出するものであったが、遮蔽部材９１のスライド移動距離に応じて検出信号を変更するように構成された、たとえば距離センサにて、遮蔽部材９１の位置を段階的で検出するものであってもよい。
【００９０】
また、上述した実施形態のプロジェクタにあっては、ツマミ部９６を手で摘まんで手動で遮蔽部材９１をスライド移動させるものであったが、適宜のスイッチを設けて、そのスイッチを押下することによって、適宜の付勢部材にて自動的に遮蔽部材９１をスライド移動させるように構成されるものであっても、何ら問題の無いものとされる。
また、この際には、スイッチに限られず、適宜の開閉キーや、適宜のリモコンによって、自動的に遮蔽部材９１をスライド移動させるように構成されるものであってもよい。
【００９１】
また、第３実施形態のプロジェクタにあっては、操作パネルカバー部９２´とレンズシャッター部９３´とは別体で構成されているので、操作パネルカバー部９２´およびレンズシャッター部９３´のそれぞれのスライド移動方向は、上述の第１実施形態および第２実施形態のプロジェクタのように限定されることなく、たとえば、レンズシャッター部９３´に関しては±Ｘ軸方向にスライド移動させる等の、適宜のスライド移動方向を選択するものであってもよい。
【００９２】
また、第３実施形態のプロジェクタにあっては、パネルカバー駆動装置９２２およびレンズシャッター駆動装置９３２が設けられて構成されるものであったが、使用者が、操作パネルカバー部９２´あるいはレンズシャッター部９３´の何れか一方のみを常時スライド移動させる場合には、使用者がスライド移動させない、操作パネルカバー部９２´あるいはレンズシャッター部９３´の何れか他方のみに、駆動装置が設けられるものであれば足りるものとされる。
【００９３】
また、第３実施形態のプロジェクタは、別途、操作パネルカバー部９２´およびレンズシャッター部９３´のスライド移動を一括して操作する開閉スイッチを設けて、この開閉スイッチにて、操作パネルカバー部９２´およびレンズシャッター部９３´のスライド移動を一括して操作するように構成してもよい。その際の連動手段としては、パネルカバー駆動装置９２２と、レンズシャッター駆動装置９３２と、およびこれらと電気的に接続される制御装置９００´と、制御装置９００´に制御信号を送信する開閉スイッチにて構成されることとなる。
【００９４】
また、上述の実施形態においては、液晶パネル４５１を３つ備えた、いわゆる三板式のプロジェクタを例に挙げて説明するものであった。しかしながら、本発明に係るプロジェクタは、これに限定されるものではなく、液晶パネルを１つ備える単板式のプロジェクタや、液晶パネルを２つ備えるプロジェクタや、液晶パネルを４つ以上備えるプロジェクタとして構成されるものであっても、何ら問題の無いものとされる。
【００９５】
また、上述の実施形態においては、光入射面と光射出面とが異なる透過型の液晶パネルを用いて構成されるものであったが、光入射面と光射出面とが同一となる反射型の液晶パネルを用いて構成してもよい。また、上述の実施形態では、光変調装置として液晶パネルを用いていたが、マイクロミラーを用いたデバイスなど、液晶パネル以外の光変調装置を用いてもよい。この場合は、光束入射側および光束射出側の偏光板４５２，４５３を省略することができる。
【産業上の利用可能性】
【００９６】
本発明に係るプロジェクタは、操作性を向上させたプロジェクタとして利用することができる。
【図面の簡単な説明】
【００９７】
【図１】本発明に係るプロジェクタの外観を模式的に示す外観模式図。
【図２】プロジェクタの内部を模式的に示す内部模式図。
【図３】図１のＡ−Ａ断面を矢視するプロジェクタの断面模式図。
【図４】遮蔽部材の斜視図。
【図５】図３において遮蔽部材の動作を示す作動断面図。
【図６】プロジェクタの外観から遮蔽部材の動作を示す作動斜視図。
【図７】第２実施形態のプロジェクタを示す断面模式図。
【図８】第２実施形態の遮蔽部材の動作を示す作動断面図。
【図９】制御装置にてなされる制御処理フローチャート。
【図１０】制御装置にてなされる制御処理フローチャート。
【図１１】第３実施形態のプロジェクタを示すブロック図。
【符号の説明】
【００９８】
１，１´…プロジェクタ、２…外装筐体、３…投射光学装置、４…光学ユニット、５…冷却装置、６…電源装置、８…排気ファンユニット、４１…光源装置、９０…遮蔽機構、９１…遮蔽部材、９１Ａ…遮蔽部材の先端縁、９１Ｂ…遮蔽部材の後端縁、９１Ｃ…操作パネルカバー部の＋Ｚ軸方向側の端縁、９１Ｅ，９１Ｆ…遮蔽部材の両側縁部、９２…操作パネルカバー部、９３…レンズシャッター部、９４…露出用開口部、９６…ツマミ部、９８…操作パネル、９９Ａ…第１位置検出スイッチ、９９Ｂ…第２位置検出スイッチ、２１１…操作用開口部、２１２…投射用開口部、４５１…液晶パネル、９００´…制御装置、９２１…パネルカバー位置検出器、９２２…パネルカバー駆動装置、９３１…レンズシャッター位置検出器、９３２…レンズシャッター駆動装置、９８１…操作入力スイッチ、９８２…電源スイッチ、Ｇ…画像投射装置。
【図１】
2008292656.tif 000003
【図２】
2008292656.tif 000004
【図３】
2008292656.tif 000005
【図４】
2008292656.tif 000006
【図５】
2008292656.tif 000007
【図６】
2008292656.tif 000008
【図７】
2008292656.tif 000009
【図８】
2008292656.tif 000010
【図９】
2008292656.tif 000011
【図１０】
2008292656.tif 000012
【図１１】
2008292656.tif 000013